【手続補正書】
【提出日】平成22年2月18日(2010.2.18)
【手続補正１】
【補正対象書類名】特許請求の範囲
【補正対象項目名】全文
【補正方法】変更
【補正の内容】
【特許請求の範囲】
【請求項１】
利用者を被写体として撮影し、得られた画像に対して利用者に落書き編集入力を行わせ、前記画像を所定のシールシートに印刷して写真シールを作成し、成果物として前記写真シールを前記利用者に提供する写真シール作成装置であって、
前記利用者を被写体として撮影し撮影画像を得る撮影手段と、
前記撮影手段により得られ、前記落書き編集入力による落書き編集が行われる前記撮影画像である編集画像上に前記利用者が入力した座標情報の軌跡に沿った画像を描く落書きペン機能の、前記画像のデザインの設定を示すペン種類を選択するためのGUI（Graphical User Interface）である複数の選択ボタンを複数の選択ボタン群に分けて、前記落書き編集が行われる編集画面に前記選択ボタン群を選択表示させる選択ボタン群表示手段と、
それぞれが対応するペン種類の名前を含む文字がそのペン種類のデザインで描かれたサンプル画像が表示される前記複数の選択ボタンを、前記編集画面と異なる１つの画面であるペン種類一覧メニュー画面に一覧として表示させるペン種類一覧表示手段と、
前記ペン種類一覧表示手段により表示された前記複数の選択ボタンの中の、前記利用者に操作された選択ボタンに対応するペン種類を選択するペン種類選択手段と、
前記利用者により入力される指示に従って、前記ペン種類選択手段により選択されたペン種類の画像の色および大きさを選択する色サイズ選択手段と、
前記ペン種類選択手段により選択されたペン種類、並びに、前記色サイズ選択手段により選択された色および大きさの各設定により指定されるデザインの設定で、前記利用者が入力した座標情報の軌跡に沿って画像を描き、前記編集画像に合成する落書き編集手段と、
前記落書き編集手段により画像が合成された前記編集画像を前記シールシートに印刷する印刷手段と
を備える写真シール作成装置。
【請求項２】
過去の編集作業の履歴において最も利用率の高い色である人気色を前記サンプル画像の色に設定する人気色設定手段をさらに備え、
前記ペン種類一覧表示手段は、前記人気色設定手段により前記人気色に設定されたサンプル画像を前記選択ボタンに表示させる
請求項１に記載の写真シール作成装置。
【請求項３】
利用者による前記サンプル画像の色設定の変更指示に基づいて、前記ペン種類一覧表示手段により表示された前記サンプル画像の色設定を変更する色変更手段をさらに備える
請求項１または請求項２に記載の写真シール作成装置。
【請求項４】
予め定められた所定の対応関係に基づいて、前記編集画像の背景の色に応じた色を、前記サンプル画像の色に設定する色設定手段をさらに備え、
前記ペン種類一覧表示手段は、前記色設定手段により選択された色のサンプル画像を前記選択ボタンに表示させる
請求項１乃至請求項３のいずれかに記載の写真シール作成装置。
【請求項５】
前記ペン種類一覧表示手段は、前記ペン種類一覧メニュー画面を前記編集画面に表示される前記編集画像上に重畳するように表示させる
請求項１乃至請求項４のいずれかに記載の写真シール作成装置。
【請求項６】
前記ペン種類一覧表示手段は、前記編集画像が見えるように、前記ペン種類一覧メニュー画面を透明または半透明に表示させる
請求項５に記載の写真シール作成装置。
【請求項７】
前記ペン種類一覧表示手段が前記ペン種類一覧メニュー画面を前記編集画像に重畳させて透明または半透明に表示させる際に、前記落書き編集が行われていない撮影画像を前記編集画像として前記編集画面に表示させる編集画像変更手段をさらに備える
請求項６に記載の写真シール作成装置。
【請求項８】
利用者を被写体として撮影し、得られた画像に対して利用者に落書き編集入力を行わせ、前記画像を所定のシールシートに印刷して写真シールを作成し、成果物として前記写真シールを前記利用者に提供する写真シール作成装置の写真シール作成方法であって、
前記利用者を被写体として撮影し、
前記撮影により得られ、前記落書き編集入力による落書き編集が行われる前記撮影画像である編集画像上に前記利用者が入力した座標情報の軌跡に沿った画像を描く落書きペン機能の、前記画像のデザインの設定を示すペン種類を選択するためのGUI（Graphical User Interface）である複数の選択ボタンを複数の選択ボタン群に分けて、前記落書き編集が行われる編集画面に前記選択ボタン群を選択表示させ、
それぞれが対応するペン種類の名前を含む文字がそのペン種類のデザインで描かれたサンプル画像が表示される前記複数の選択ボタンを、前記編集画面と異なる１つの画面であるペン種類一覧メニュー画面に一覧として表示させ、
表示された前記複数の選択ボタンの中の、前記利用者に操作された選択ボタンに対応するペン種類を選択し、
前記利用者により入力される指示に従って、選択されたペン種類の画像の色および大きさを選択し、
選択されたペン種類、色、および大きさの各設定により指定されるデザインの設定で、前記利用者が入力した座標情報の軌跡に沿って画像を描き、前記編集画像に合成し、
前記落書き編集された前記撮影画像を前記シールシートに印刷する
ステップを含む写真シール作成方法。
【請求項９】
利用者を被写体として撮影し、得られた画像に対して利用者に落書き編集入力を行わせ、前記画像を所定のシールシートに印刷して写真シールを作成し、成果物として前記写真シールを前記利用者に提供する処理を制御するコンピュータが実行可能なプログラムであって、
前記利用者を被写体として撮影する撮影ステップと、
前記撮影ステップの処理により得られ、前記落書き編集入力による落書き編集が行われる前記撮影画像である編集画像上に前記利用者が入力した座標情報の軌跡に沿った画像を描く落書きペン機能の、前記画像のデザインの設定を示すペン種類を選択するためのGUI（Graphical User Interface）である複数の選択ボタンを複数の選択ボタン群に分けて、前記落書き編集が行われる編集画面に前記選択ボタン群を選択表示させる選択ボタン群表示ステップと、
それぞれが対応するペン種類の名前を含む文字がそのペン種類のデザインで描かれたサンプル画像が表示される前記複数の選択ボタンを、前記編集画面と異なる１つの画面であるペン種類一覧メニュー画面に一覧として表示させるペン種類一覧表示ステップと、
前記ペン種類一覧表示ステップの処理により表示された前記複数の選択ボタンの中の、前記利用者に操作された選択ボタンに対応するペン種類を選択するペン種類選択ステップと、
前記利用者により入力される指示に従って、前記ペン種類選択ステップの処理により選択されたペン種類の画像の色および大きさを選択する色サイズ選択ステップと、
前記ペン種類選択ステップの処理により選択されたペン種類、並びに、前記色サイズ選択ステップの処理により選択された色および大きさの各設定により指定されるデザインの設定で、前記利用者が入力した座標情報の軌跡に沿って画像を描き、前記編集画像に合成する落書き編集ステップと、
前記落書き編集ステップの処理により画像が合成された前記編集画像を前記シールシートに印刷する印刷ステップと
をコンピュータに実行させるプログラム。
【手続補正２】
【補正対象書類名】明細書
【補正対象項目名】００１５
【補正方法】変更
【補正の内容】
【００１５】
本発明の一側面は、利用者を被写体として撮影し、得られた画像に対して利用者に落書き編集入力を行わせ、前記画像を所定のシールシートに印刷して写真シールを作成し、成果物として前記写真シールを前記利用者に提供する写真シール作成装置であって、前記利用者を被写体として撮影し撮影画像を得る撮影手段と、前記撮影手段により得られ、前記落書き編集入力による落書き編集が行われる前記撮影画像である編集画像上に前記利用者が入力した座標情報の軌跡に沿った画像を描く落書きペン機能の、前記画像のデザインの設定を示すペン種類を選択するためのGUI（Graphical User Interface）である複数の選択ボタンを複数の選択ボタン群に分けて、前記落書き編集が行われる編集画面に前記選択ボタン群を選択表示させる選択ボタン群表示手段と、それぞれが対応するペン種類の名前を含む文字がそのペン種類のデザインで描かれたサンプル画像が表示される前記複数の選択ボタンを、前記編集画面と異なる１つの画面であるペン種類一覧メニュー画面に一覧として表示させるペン種類一覧表示手段と、前記ペン種類一覧表示手段により表示された前記複数の選択ボタンの中の、前記利用者に操作された選択ボタンに対応するペン種類を選択するペン種類選択手段と、前記利用者により入力される指示に従って、前記ペン種類選択手段により選択されたペン種類の画像の色および大きさを選択する色サイズ選択手段と、前記ペン種類選択手段により選択されたペン種類、並びに、前記色サイズ選択手段により選択された色および大きさの各設定により指定されるデザインの設定で、前記利用者が入力した座標情報の軌跡に沿って画像を描き、前記編集画像に合成する落書き編集手段と、前記落書き編集手段により画像が合成された前記編集画像を前記シールシートに印刷する印刷手段とを備える写真シール作成装置である。
【手続補正３】
【補正対象書類名】明細書
【補正対象項目名】００１７
【補正方法】変更
【補正の内容】
【００１７】
本発明の写真シール作成装置においては、利用者が被写体として撮影され、落書き編集入力による落書き編集が行われる撮影画像である編集画像上に利用者が入力した座標情報の軌跡に沿った画像を描く落書きペン機能の、画像のデザインの設定を示すペン種類を選択するためのGUI（Graphical User Interface）である複数の選択ボタンが複数の選択ボタン群に分けられ、落書き編集が行われる編集画面に選択ボタン群が選択表示され、それぞれが対応するペン種類の名前を含む文字がそのペン種類のデザインで描かれたサンプル画像が表示される複数の選択ボタンが、編集画面と異なる１つの画面であるペン種類一覧メニュー画面に一覧として表示され、複数の選択ボタンの中の、利用者に操作された選択ボタンに対応するペン種類が選択され、利用者により入力される指示に従って、選択されたペン種類の画像の色および大きさが選択され、ペン種類、色、および大きさの各設定により指定されるデザインの設定で、利用者が入力した座標情報の軌跡に沿って画像が描かれて編集画像に合成され、落書き編集された撮影画像がシールシートに印刷される。
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】変更
【補正の内容】
【００２０】
また、より具体的なサンプル画像を選択ボタンに表示させることができる。これにより、利用者は、描画結果をより容易に把握することができ、ペン種類の選択をより容易に行うことができるようになる。
【手続補正６】
【補正対象書類名】明細書
【補正対象項目名】００３３
【補正方法】変更
【補正の内容】
【００３３】
本発明の一側面は、また、利用者を被写体として撮影し、得られた画像に対して利用者に落書き編集入力を行わせ、前記画像を所定のシールシートに印刷して写真シールを作成し、成果物として前記写真シールを前記利用者に提供する写真シール作成装置の写真シール作成方法であって、前記利用者を被写体として撮影し、前記撮影により得られ、前記落書き編集入力による落書き編集が行われる前記撮影画像である編集画像上に前記利用者が入力した座標情報の軌跡に沿った画像を描く落書きペン機能の、前記画像のデザインの設定を示すペン種類を選択するためのGUI（Graphical User Interface）である複数の選択ボタンを複数の選択ボタン群に分けて、前記落書き編集が行われる編集画面に前記選択ボタン群を選択表示させ、それぞれが対応するペン種類の名前を含む文字がそのペン種類のデザインで描かれたサンプル画像が表示される前記複数の選択ボタンを、前記編集画面と異なる１つの画面であるペン種類一覧メニュー画面に一覧として表示させ、表示された前記複数の選択ボタンの中の、前記利用者に操作された選択ボタンに対応するペン種類を選択し、前記利用者により入力される指示に従って、選択されたペン種類の画像の色および大きさを選択し、選択されたペン種類、色、および大きさの各設定により指定されるデザインの設定で、前記利用者が入力した座標情報の軌跡に沿って画像を描き、前記編集画像に合成し、前記落書き編集された前記撮影画像を前記シールシートに印刷するステップを含む写真シール作成方法である。
【手続補正７】
【補正対象書類名】明細書
【補正対象項目名】００３４
【補正方法】変更
【補正の内容】
【００３４】
本発明の第１の写真シール作成方法においては、利用者が被写体として撮影され、撮影により得られ、落書き編集入力による落書き編集が行われる撮影画像である編集画像上に利用者が入力した座標情報の軌跡に沿った画像を描く落書きペン機能の、画像のデザインの設定を示すペン種類を選択するためのGUI（Graphical User Interface）である複数の選択ボタンが複数の選択ボタン群に分けられ、落書き編集が行われる編集画面に選択ボタン群が選択表示され、それぞれが対応するペン種類の名前を含む文字がそのペン種類のデザインで描かれたサンプル画像が表示される複数の選択ボタンが、編集画面と異なる１つの画面であるペン種類一覧メニュー画面に一覧として表示され、複数の選択ボタンの中の、利用者に操作された選択ボタンに対応するペン種類が選択され、利用者により入力される指示に従って、選択されたペン種類の画像の色および大きさが選択され、選択されたペン種類、色、および大きさの各設定により指定されるデザインの設定で、利用者により入力された座標情報の軌跡に沿って画像が描かれ、編集画像に合成され、落書き編集された撮影画像がシールシートに印刷される。
【手続補正８】
【補正対象書類名】明細書
【補正対象項目名】００３５
【補正方法】変更
【補正の内容】
【００３５】
本発明の第１の側面は、さらに、利用者を被写体として撮影し、得られた画像に対して利用者に落書き編集入力を行わせ、前記画像を所定のシールシートに印刷して写真シールを作成し、成果物として前記写真シールを前記利用者に提供する処理を制御するコンピュータが実行可能なプログラムであって、前記利用者を被写体として撮影する撮影ステップと、前記撮影ステップの処理により得られ、前記落書き編集入力による落書き編集が行われる前記撮影画像である編集画像上に前記利用者が入力した座標情報の軌跡に沿った画像を描く落書きペン機能の、前記画像のデザインの設定を示すペン種類を選択するためのGUI（Graphical User Interface）である複数の選択ボタンを複数の選択ボタン群に分けて、前記落書き編集が行われる編集画面に前記選択ボタン群を選択表示させる選択ボタン群表示ステップと、それぞれが対応するペン種類の名前を含む文字がそのペン種類のデザインで描かれたサンプル画像が表示される前記複数の選択ボタンを、前記編集画面と異なる１つの画面であるペン種類一覧メニュー画面に一覧として表示させるペン種類一覧表示ステップと、前記ペン種類一覧表示ステップの処理により表示された前記複数の選択ボタンの中の、前記利用者に操作された選択ボタンに対応するペン種類を選択するペン種類選択ステップと、前記利用者により入力される指示に従って、前記ペン種類選択ステップの処理により選択されたペン種類の画像の色および大きさを選択する色サイズ選択ステップと、前記ペン種類選択ステップの処理により選択されたペン種類、並びに、前記色サイズ選択ステップの処理により選択された色および大きさの各設定により指定されるデザインの設定で、前記利用者が入力した座標情報の軌跡に沿って画像を描き、前記編集画像に合成する落書き編集ステップと、前記落書き編集ステップの処理により画像が合成された前記編集画像を前記シールシートに印刷する印刷ステップとをコンピュータに実行させるプログラムである。